(57)【要約】【課題】構成が簡単で破損のおそれが少なく、また、切断動作及び絞り動作を１つの道具で持ち替えることなく一連の動作として簡単に行えるようにした切断ひねり絞り具を提供する。【解決手段】絞り部２０は、把持部１０側からカット部３０側に向かって延びる一対の棒状部２１と、これらの間に形成される、レトルトパウチの挿入及び移動を許容する絞り間隙２２とを有し、カット部３０は、絞り間隙２２の先端部近傍に、刃部３１ａが把持部１０側に向けられてかつ刃部３１ａが絞り間隙２２を横断するような姿勢で取り付けられたカッターを有する。絞り間隙２２にレトルトパウチの切断部を挿入してカッター３１を引くことで、レトルトパウチの切断部を切断し、切断後のレトルトパウチを、切断部から遠い側から切断部に向けて絞り間隙２２に挿通させることで、内容物を絞り出す。【選択図】図１
2010220673.tif 000002
【特許請求の範囲】
【請求項１】
内容物が詰められたレトルトパウチの切断部を切断するとともに、前記切断部から前記内容物を絞り出す切断ひねり絞り具において、
基端部に設けられて使用者の手で握られる把持部と、
前記把持部から先端側に向かって延びる絞り部と、
前記絞り部の先端側に設けられたカット部とを備え、
前記絞り部は、前記把持部側から前記カット部側に向かって延びる一対の棒状部と、
前記一対の棒状部の間に形成されて、前記レトルトパウチの挿入及び移動を許容する絞り間隙と、を有し、
前記カット部は、前記絞り間隙の先端部近傍に、刃部が前記把持部側に向けられてかつ前記刃部が前記絞り間隙を横断するような姿勢で取り付けられたカッターを有し、
前記絞り間隙に前記レトルトパウチの切断部を挿入して前記切断部と前記カッターとを相対移動させることで前記レトルトパウチの切断部を切断し、
切断後の前記レトルトパウチを、前記切断部から遠い側から前記切断部に向けて前記絞り間隙に挿通させることで前記内容物を前記レトルトパウチから絞り出す、
ことを特徴とする切断ひねり絞り具。
【請求項２】
前記カッターは、前記刃部が前記絞り間隙の幅方向に対して、一端側が前記基端側に位置し他端側が前記先端側に位置するように傾斜して取り付けられている、
ことを特徴とする請求項１に記載の切断ひねり絞り具。
【請求項３】
前記カット部は、前記カッターを位置決めする位置決め部と、前記位置決め部に位置決めされた前記カッターを着脱可能に固定する固定具と、を有する、
ことを特徴とする請求項１又は２に記載の切断ひねり絞り具。
【請求項４】
前記絞り間隙は、前記把持部側から前記カッターまで、幅が一定となる、
ことを特徴とする請求項１ないし３のいずれか１項に記載の切断ひねり絞り具。
【請求項５】
前記内容物が絞り出された前記レトルトパウチを折り畳んだ状態で挿通させる絞りスリットを有する、
ことを特徴とする請求項１ないし４のいずれか１項に記載の切断ひねり絞り具。
【請求項６】
前記カット部に、前記レトルトパウチの周端縁に引っかけて前記レトルトパウチを移動させるフックを有する、
ことを特徴とする請求項１ないし５のいずれか１項に記載の切断ひねり絞り具。
【発明の詳細な説明】
【技術分野】
【０００１】
本発明は、内容物が詰められたレトルトパウチの切断部を切断して、切断部から内容物を絞り出す切断ひねり絞り具に関する。
【背景技術】
【０００２】
近年、レトルト食品は、密封性、保存性、及び利便性に優れた食品として広く普及している。
【０００３】
レトルト食品は、一般に、内容物が専用のレトルトパウチに充填されて密封されていて、液状の内容物であっても漏れることがなく、また、長期の保存が可能であり、さらに、温めるだけで簡単に食することができる。このため、内容物としては、カレー、シチュー、各種丼の具（例えば、牛丼、マーボ丼）、ハンバーグ等の種々の食材が用いられる。
【０００４】
レトルト食品を食する際には、普通、沸騰した湯の中にレトルト食品を数分間浸して温めた後、熱湯から取り出して、切断部を切断し、カレー等の内容物を皿にあける。
【０００５】
ここで、レトルト食品を開封したり、内容物を絞り出したりする道具が、例えば、特許文献１〜３に開示されている。
特許文献１のものは、開封用のカッターであり、カバーから取り出した状態では、通常のカッターとして使用することができ、また、カバーに収納した状態では、カッターの刃が、「Ｖ字形」の溝に配置されるので、レトルトパウチの切断部をこの溝に挿入して、カッターを手前に引くことで、切断部を簡単に切断することができる。
【０００６】
また、特許文献２のものは、長板状の２枚の板状部材を、長手方向の一方の端部にヒンジを設けて、一方の長辺を基準に構成されている。ヒンジがある側の一方の板状部材の内側には切断刃が設けられ、他方の板状部材の内側にはこの切断刃に対応する窪みが設けてあり、両者で挟み込んで、レトルトパウチを切断することができる。また、２枚の板状部材の、ヒンジがない側の端部で、レトルトパウチを挟み込んで、熱湯から取り出すことができるようになっている。
【０００７】
また、特許文献３は、切断用のはさみと絞り用のはさみを、柄を共通としてそれぞれ反対側に設けて構成されていて、通常のはさみと同様に使用して、レトルトパウチの切断部を切断し、また、逆に持ち替えて、絞り用のはさみで、レトルトパウチを挟んで内容物を絞り出すことができる。
【特許文献１】特開平１１−３０１４０２号公報
【特許文献２】特開平９−２５３３４８号公報
【特許文献３】特開２００７−６８９３８号公報
【発明の開示】
【発明が解決しようとする課題】
【０００８】
しかしながら、特許文献１のものは、カッターによってレトルトパウチの切断部は、良好に切断することができるものの、切断部から内容物を絞り出すためには、カッターを置いて、手で絞ったり、あるいは他の絞り具を用いて行ったりする必要があるために、切断及び絞り出しの一連の動作が煩雑になるという問題があった。
【０００９】
また、特許文献２のものは、切断時に、２枚の板状部材を開いてこれらの間にレトルトパウチの切断部を挟み込み、その後、切断部を切断するというように、切断動作が複雑になるという問題があった。また、ヒンジを有する複雑な構造であるため、破損しやすいという問題もあった。さらに、特許文献１のものと同様、切断後には、内容物を手で絞ったり、あるいは他の絞り具を用いて絞ったりする必要があるために、切断及び絞り出しの一連の動作が煩雑になるという問題があった。
【００１０】
また、特許文献３のものは、切断用のはさみと絞り用のはさみとが、柄に対して反対側に配置されているので、レトルトパウチを切断した後、内容物を絞り出す際に、持ち替える動作が必要となり、動作が煩雑になるという問題があった。
【００１１】
そこで、本発明は、構成が簡単で破損のおそれが少なく、また、切断動作及び絞り動作を１つの道具で持ち替えることなく一連の動作として簡単に行えるようにした切断ひねり絞り具を提供することを目的とするものである。
【課題を解決するための手段】
【００１２】
請求項１に係る発明は、内容物が詰められたレトルトパウチの切断部を切断するとともに、前記切断部から前記内容物を絞り出す切断ひねり絞り具に関する。この発明に係る切断ひねり絞り具は、基端部に設けられて使用者の手で握られる把持部と、前記把持部から先端側に向かって延びる絞り部と、前記絞り部の先端側に設けられたカット部とを備え、前記絞り部は、前記把持部側から前記カット部側に向かって延びる一対の棒状部と、前記一対の棒状部の間に形成されて、前記レトルトパウチの挿入及び移動を許容する絞り間隙と、を有し、前記カット部は、前記絞り間隙の先端部近傍に、刃部が前記把持部側に向けられてかつ前記刃部が前記絞り間隙を横断するような姿勢で取り付けられたカッターを有し、前記絞り間隙に前記レトルトパウチの切断部を挿入して前記切断部と前記カッターとを相対移動させることで前記レトルトパウチの切断部を切断し、切断後の前記レトルトパウチを、前記切断部から遠い側から前記切断部に向けて前記絞り間隙に挿通させることで前記内容物を前記レトルトパウチから絞り出す、ことを特徴とする。
【００１３】
請求項２に係る発明は、請求項１に係る切断ひねり絞り具において、前記カッターは、前記刃部が前記絞り間隙の幅方向に対して、一端側が前記基端側に位置し他端側が前記先端側に位置するように傾斜して取り付けられている、ことを特徴とする。
【００１４】
請求項３に係る発明は、請求項１又は２に係る切断ひねり絞り具において、前記カット部は、前記カッターを位置決めする位置決め部と、前記位置決め部に位置決めされた前記カッターを着脱可能に固定する固定具と、を有する、ことを特徴とする。
請求項４に係る発明は、請求項１ないし３のいずれか１項に係る切断ひねり絞り具において、前記絞り間隙は、前記把持部側から前記カッターまで、幅が一定となる、ことを特徴とする。
【００１５】
請求項５に係る発明は、請求項１ないし４のいずれか１項に記載の切断ひねり絞り具において、前記内容物が絞り出された前記レトルトパウチを折り畳んだ状態で挿通させる絞りスリットを有する、ことを特徴とする。
【００１６】
請求項６に係る発明は、請求項１ないし５のいずれか１項に係る切断ひねり絞り具において、前記カット部に、前記レトルトパウチの周端縁に引っかけて前記レトルトパウチを移動させるフックを有する、ことを特徴とする。
【発明の効果】
【００１７】
請求項１の発明によれば、切断ひねり絞り具の把持部を手で握り、反対の手でレトルトパウチの切断部を絞り間隙に挿入し、切断部とカッターとを相対移動させる、例えば、切断ひねり絞り具を手前に引いて、カッターを手前に移動させることにより、レトルトパウチの切断部を切断することができる。つづいて、レトルトパウチを上下逆さにして、切断部を下方に配置し底部（切断部から遠い側）を上方に配置することで、内容物を皿等にあける。さらに、底部を下方から絞り間隙に挿入した状態で、絞り間隙を下方に移動させることにより、レトルトパウチの内面に付着して残った内容物を絞り出すことができる。この際、絞り間隙を、その長手方向を軸として適宜に回転させることにより、絞り間隙の実質的な幅（上方から見たときの見かけ上の幅）を変更することができるので、内容物の種類や、内容物の付着状況に応じて適宜に調整することができる。請求項１の発明によれば、上述のレトルトパウチの切断部の切断操作と、内容物の絞り動作とを、１つの切断ひねり絞り具で、しかも持ち替えることなく一連の動作として行うことができる。また、可動部を設ける必要がないので、構造が簡素となり、破損しにくくなる。
【００１８】
請求項２の発明によれば、切断時の切断部の移動方向に対して、カッターの刃部が傾斜して配置されているので、切断部を容易に切断することができる。
【００１９】
請求項３の発明によれば、カッターの交換が容易である。
【００２０】
請求項４の発明によれば、絞り間隙がカッターに近いほど幅が狭くなるように先細りに形成されているので、絞り間隙にレトルトパウチの切断部を挿入した状態で、切断ひねり絞り具を例えば手前に引いていくと、これに伴い、レトルトパウチの切断部がカッターに向かって相対移動する際に、先細りに絞り間隙に倣ってカッターに向かって導かれていく。これにより、切断部をより円滑に切断することができる。
【００２１】
請求項５の発明によれば、例えば、２つ折り状態のレトルトパウチの底部近傍を絞りスリットに挿入した後、絞りスリットをレトルトパウチの切断部に向けて移動させることで、レトルトパウチの内面に付着している内容物をさらによく絞り出すことができる。
【００２２】
請求項６の発明によれば、例えば、熱湯で温めた後のレトルトパウチの周端縁にフックを引っ掛けて、レトルトパウチを熱湯から取り出すことができる。すなわち、熱くなったレトルトパウチを直接手で触れることなく、熱湯から引き上げることができる。
【発明を実施するための最良の形態】
【００２３】
以下、本発明の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００２４】
図１〜図１３を参照して、本発明に係る切断ひねり絞り具の実施形態１について説明する。ここで、図１（ａ）は、切断ひねり絞り具１の正面図であり、（ｂ）は上面図であり、（ｃ）は下面図である。図２は、絞りスリット１１の使用状態を説明する図である。図３は、絞りスリット１１の他の使用状態を説明する図である。図４は、絞りスリット１１のさらに別の使用状態を説明する図である。図５は、ラップ刃外し１２の使用状態を説明する図である。図６は、第１フック１３の使用状態を説明する図である。図７は、第１フック１３の他の使用状態を説明する図である。図８（ａ），（ｂ）は、缶詰オープナー１４の使用状態を説明する図である。図９は、カッター３１の使用状態を説明する図である。図１０（ａ），（ｂ）は、絞り間隙２２の使用状態を説明する図である。図１１は、第２フック（フック）３４の使用状態を説明する図である。図１２は、キャップオープナー３５の使用状態を説明する図である。図１３は、把持部１０に砂時計１５を取り付けた状態を説明する図である。
【００２５】
図１（ａ），（ｂ），（ｃ）に示すように、切断ひねり絞り具１全体は、長く形成されていて、基端部（図１中の右側）には把持部１０が設けられ、中間部には絞り部２０が設けられ、先端部（図１中の左側）にはカット部３０が設けられている。本実施形態の切断ひねり絞り具１は、（ａ）に示す正面図に現れる形状と、この反対の面である背面図に現れる形状とがほぼ同形に形成されている。
【００２６】
把持部１０は、レトルトパウチ４１（レトルト食品４０の袋）を絞ったり（図１０参照）、その切断部４２を切断したり（図９参照）する際に使用者が手で握る部分であり、ほぼ長方形の板状に形成されていて、その長手方向を、切断ひねり絞り具１の長手方向に向けている。把持部１０の長手方向のほぼ中央には、絞りスリット１１が形成されている。絞りスリット１１は、把持部１０における下端側１０ａから、上端側１０ｂでかつ先端側に向けて斜めに形成された、表裏（正面側と背面側）とを貫通するスリットである。この絞りスリット１１は、図２に示すように、レトルトパウチ４１の切断部４２近傍を挿入して、例えば、レトルトパウチ４１を横に引くことにより、切断部４２の切断に先立ち、切断部４２近傍の内側に付着している内容物を下方に絞り落とすことができる。すなわち、現状は、熱さを我慢して指で絞り落としているが、このスリット１１を使用することで、火傷することもなく、内容物を下方に絞り落とすことができる。また、この絞りスリット１１は、図３に示すように、後述する絞り間隙２２で、内容物を絞った後に、レトルトパウチ４１を例えば２つ折りにして、この絞りスリット１１に底部４４側から通し、さらに、絞りスリット１１を底部４４側から切断部４２側に向けて移動させることにより、絞り間隙２２では絞りきれなかった内容物を絞り出すことができる。さらに、この絞りスリット１１は、図４に示すように、チャック付き袋５０のチャック５１を閉じるのに使用することもできる。チャック付き袋５０のチャック５１は、指では、位置合わせをしづらいことと、力が入りにくいこととにより、うまく閉じることが難しいため、何度でもやり直すことが多い。これに対し、本実施形態の絞りスリット１１を利用した場合には、チャック５１の端を絞りスリット１１に挿入した後、スリット１１を軽くひねることにより、その部分のチャック５１を密着させることができる。その後、この軽くひねった状態を維持しつつ、チャックを移動させることにより、位置合わせを確実にして、強い力を付与することができるので、簡単にチャック５１を閉じることができる。
【００２７】
図１（ａ）に示すように、把持部１０における基端側の下端側１０ａ近傍には、ラップ刃外し１２が形成されている。このラップ刃外し１２は、把持部１０の基端側から先端側に向けて形成されたスリットである。図５に示すように、ラップを収納した箱６０には、その長手方向に沿って帯び状の金属の刃６１が取り付けてあり、ラップがなくなった際には、分別収集のため、ボール紙で形成された箱６０からこの金属製の刃６１を取り外す必要がある。この際、図５に示すように、ラップ刃外し１２に、金属製の刃６１の端部を挿入した後、切断ひねり絞り具１をその長手方向に沿った軸心Ｃ（図１参照）を基準として矢印方向に回転させることにより、刃６１を簡単に、しかも安全に巻き取って取り外すことができる。
【００２８】
図１（ａ）に示すように、把持部１０における基端側には上端側１０ｂから下端側１０ａに向けて、第１フック１３が形成されている。この第１フック１３は、図６に示すように、例えば、吊り金具７０に引っ掛けることにより、紐等を使用することなく、切断ひねり絞り具１を壁等に吊り下げることができる。第１フック１３の内側には、係止用の凹部１３ａが形成されていて、この凹部１３ａを吊り金具７０に引っ掛けることにより、吊り金具７０から不要に外れることを防止している。また、この第１フック１３は、図７に示すように、プルタブ８０に引っ掛けて、引っ張ることで、プルタブ８０を簡単に取り外すことができる。例えば、醤油やソースのプレスチック容器に使用されているプルタブ８０は、リングが小さくて小指がやっとはいるくらいのものが多い割に、強い力で引かないとあけることができないものが多い。第１フック１３は、このようなプルタブ８０を外す際に有効である。
【００２９】
図１（ａ）に示すように、把持部１０における先端側の下端側１０ａ近傍には、缶詰オープナー１４が形成されている。この缶詰オープナー１４は、先端側から、上端側１０ｂでかつ後端側に向けて斜めに延びるスリットであり、図８（ａ）に示すように、缶詰のプルタブ９０に引っ掛けて矢印方向に手前側に起こし、さらに図８（ｂ）に示すように、絞りスリット１１側を支点として、この缶詰オープナー１４側を矢印方向に引き上げることにより、缶詰の蓋を容易にあけることができる。一般に、缶詰のプルタブの隙間は狭くて、指が入りにくいため、このような缶詰オープナー１４が付いていると便利である。さらに、本実施形態の缶詰オープナー１４は、まず、缶詰の蓋にほぼ密着して隙間がほとんどないプルタブ９０に対し、蓋とプルタブ９０の僅かな隙間に缶詰オープナー１４の先端を挿入して、プルタブ９０に引っ掛け、つづいて、図８（ａ）に示すように、プルタブ９０を引き起こして蓋の一部を缶詰から切り離し、その後、図８（ｂ）に示すように、絞り絞りスリット１１側を缶詰の周縁部に当ててここを支点として、プルタブ９０を矢印方向に引っ張って蓋を開けることができる。以上の動作を、切断ひねり絞り具１のカット部３０側を手で握った状態で、一連の動作として行うことができる。既存の缶詰オープナーは、図８（ａ）に示す、プルタブ９０を起こす動作と、図８（ｂ）に示す、プルタブ９０を引き上げて、蓋を開放する動作とを、一連の動作として行うことができないで、缶詰オープナーを持ち替える必要があるものが多い。
【００３０】
図１（ａ）に示すように、絞り部２０は、上述の基端部に設けられた把持部１０から先端部のカット部３０に向かって延びるように形成されている。絞り部２０は、把持部１０からカット部３０に向かって延びる一対の平行な棒状部２１，２１とその間に形成された絞り間隙２２とによって構成されている。本実施形態においては、絞り間隙２２は、その幅（一対の棒状部２１，２１間の距離）が、基端側から先端側まで等しくなるように形成されている。このため、絞り間隙２２にレトルトパウチ４１を挿入する際に、挿入しやすい。この絞り間隙２２は、切断ひねり絞り具１をその軸心Ｃを基準に回転させることにより、実質的な間隙を狭めることができる。すなわち、例えば、図１（ａ）中の軸心Ｃを同図中の右側から見た状態から、軸心Ｃを基準として切断ひねり絞り具１を左回り又は右回りに回転させて傾斜させると、正面側又は背面側から見た絞り間隙２２の幅が狭められることになる。これにより、後述するように、レトルトパウチ４１を間隙２２に通過させてレトルトパウチ４１から内容物を絞り出す際に、切断ひねり絞り具１を適宜にひねって（回転させて）間隙２２の実質的な間隙（幅）を調整することにより、内容物を速やかに、かつ確実に絞り出すことができる。
【００３１】
棒状部２１には、図１（ａ）〜（ｃ）に示すように、凸部２１ａが設けられている。凸部２１ａは、２本の棒状部２１のうちの、上側に位置する棒状部２１における長手方向の略中央（図１（ａ）中の左右方向の略中央）において、この棒状部２１の正面側（図１（ｂ）中の下側）及び背面側（図１（ｂ）の上側）にそれぞれ１つずつ、計２個が設けられている。各凸部２１ａは、略ピラミッド状（四角錐状）に形成されていて、頂部２１ｂは、尖っている。これら凸部２１ａは、レトルトパウチ４１に折り目となる筋を付けるためのものである。すなわち、後述するように、レトルトパウチ４１を絞り間隙２２に挿入して、絞り間隙２２によってレトルトパウチ４１から内容物を絞り出す際に、上述のように切断ひねり絞り具１を、軸心Ｃを基準に左回り又は右回りにひねって絞り間隙２２を調整して（狭めて）絞り出すようにしている。このとき、凸部２１ａの頂部２１ｂがレトルトパウチ４１の一部（例えば、中心近傍）に当接するようにすれば、レトルトパウチ４１の中心近傍に切断ひねり絞り具１の移動方向に沿って筋が付けられることになる。これが、折り目となって、レトルトパウチ４１に残った内容物を、さらに上述の絞りスリット１１によって絞り出すに先立って、レトルトパウチ４１を容易に２つ折りすることが可能となる。なお、凸部２１ａが２個設けられているのは、切断ひねり絞り具１をひねる際に、右利きと左利きとでは、そのひねる方向が異なることが想定されるので、両者に対応するためである。また、凸部２１ａの形状については、角錐状に限らず、例えば、円錐状であってもよい。また、位置についても、棒状部２１の長手方向の中央に限定されるものではなく、長手方向の中央からずれた位置であってもよい。また、２個の凸部２１ａは、上側の棒状部２１に設けるのに代えて、下側の棒状部２１に設けるようにしてもよい。なお、図１以外の図においては、これら凸部２１ａの図示は省略している。
【００３２】
図１（ａ）に示すように、カット部３０は、絞り部２０の先端に設けられている。カット部３０は、カッター３１を有している。カッター３１は、その刃部３１ａが把持部１０側を向き、かつ絞り間隙２２を横断するような姿勢で取り付けられている。さらにカッター３１は、その刃部３１ａが絞り間隙２２の幅方向（軸心Ｃに直交する方向）に対して傾斜した状態で取り付けられている。カッター３１は、図１（ｂ）に示すスリット（位置決め部）３２に挿入されて位置決めされ、さらに、ボルト（固定具）３３によって固定されている。すなわち、カッター３１は、ボルト３３を緩めることにより簡単に取り外すことができ、また、ボルト３３を緩めた状態で、スリット３２に挿入した後、ボルト３３で締め付けることにより、簡単に位置決め固定することができる。つまり、カッター３１は、着脱が容易となっていて、刃部３１ａが切れなくなってきたら、簡単に交換することができる。
【００３３】
なお、絞り間隙２２及びカッター３１の作用、すなわち、レトルトパウチ４１の切断部４２の切断、及び絞り間隙２２によるレトルトパウチ４１からの内容物の絞り出しについては、図９，図１０を参照して後述する。
【００３４】
図１（ａ）に示すように、カット部３０における先端側の下端側には、第２フック３４が形成されている。この第２フック３４は、図１１に示すように、熱湯で十分に温められたレトルト食品４０を熱湯から取り出す際に、レトルトパウチ４１の周端縁４３に引っ掛けることで、レトルト食品４０を、直接手で触れることなく、容易に熱湯から取り出すことができる。さらに、この第２フック３４は、カップラーメン，カップそば，カップ焼きそば等の表面を覆っている薄い透明フィルムを剥がす際に使用することができる。すなわち、第２フック３４の尖った先端を、例えば、透明フィルムのうちの、カップのフランジ部の裏面側に位置する部分に突き刺して少し移動させることにより、簡単に、透明フィルムを剥がすことができる。
【００３５】
図１（ｂ），（ｃ）に示すように、カット部３０における先端は、他の部分よりも先が薄くなるように形成されていてキャップオープナー３５となっている。キャップオープナー３５は、図１２に示すように、缶詰本体９２の上側の周端縁９２ａと、キャップ９３の周端縁９３ａとの間に、挿入してキャップ９３を容易にあけることができる。また、このように、カッター３１よりも先端側に位置する部分が薄くなるように形成することにより、後述するように、カッター３１によってレトルトパウチ４１の切断部４２を切断する際に、切断後にこの薄部分を通過するレトルトパウチ本体とこの本体から切断された部分との移動が円滑になる。すなわち、この部分が厚い場合には、切断部４２を切断する際、レトルトパウチ本体とこの本体から切断された部分とが、カット部３０に当たって逃げ場がなくなり、カッター３１を引こうとしてもカッター３１が進まなくなるという不具合が発生する。カット部３０の先端を上述のように薄く形成することにより、このような不具合をなくすことができる。缶詰本体９２の上側の周端縁９２ａと、キャップ９３の周端縁９３ａとの間は狭いにもかかわらず、キャップ９３は強い力を加えないとあけることができない。このため、一般に、コインやドライバーの先端を挿入してあけるようにしている。ところで、コインやドライバーは、普通、台所にあるものではないので、従来、これらを使用するために、わざわざ台所を離れる必要があった。これに対し、請求項１に係る切断ひねり絞り具１は、台所に常備されるものなので、必要なときに直ぐに手に届くので、そのキャップオープナー３５を利用して簡単にキャップ９３を開放することができる。
【００３６】
次に、図９を参照して、切断ひねり絞り具１の作用を、絞り間隙２２及びカッター３１の作用を中心に説明する。なお、図９においては、既に切断された切断部４２を実線で示し、これから切断される切断部４２を二点鎖線で示している。切断作業に先立ち、スリット１１を利用して、切断部４２近傍の内容物を下方に絞り落とす。図９に示すように、レトルト食品４０のレトルトパウチ４１の切断部４２を切断するには、まず、一方の手で、切断ひねり絞り具１の把持部１０を握り、他方の手でレトルトパウチ４１の切断部４２を絞り間隙２２に挿入する。つづいて、他方の手で、レトルトパウチ４１の切断部４２の下方でかつカッター３１に近い側を掴み（例えば、図９中の二点鎖線Ｐで示す部分）、この状態で、切断ひねり絞り具１を手前に引いて、カッター３１を手前に移動させる。これにより、切断部４２を切断することができる。この際、カッター３１が傾斜して取り付けられているので、切断部４２を円滑に切断することができる。
【００３７】
つづいて、レトルトパウチ４１を逆さにして、切断部４２から内容物Ｓ（後述）を容器９５にあける。さらに、図１０（ａ）に示すように、レトルトパウチ４１の底部４４側を下方から、絞り間隙２２に通し、切断ひねり絞り具１をその軸心Ｃ（図１参照）を中心に少し回転させて、絞り間隙２２の実質的な幅を狭める。この状態で、図１０（ｂ）に示すように、切断ひねり絞り具１を下方に移動させ、内容物Ｓを切断部４２から絞り出して、容器９５に入れる。これにより、レトルトパウチ４１の内面に付着していた内容物Ｓがきれいに絞り出される。さらに、図３に示すように、絞りスリット１１を使用して、レトルトパウチ４１を２つ折りにして、絞り作業を行うことで、内容物Ｓを確実に絞り出すことができる。すなわち、レトルトパウチ４１の表面には凸部２１ａにより筋が付けられているので、筋に添ってレトルトパウチ４１を２つ折りにして、底部４４近傍を絞りスリット１１に挿入する。底部４４近傍を他方の手で掴み、この状態で、切断ひねり絞り具１の絞りスリット１１をレトルトパウチ４１の切断部４２に向けて矢印方向にひねりながら移動、すなわち、少し回転させてスリット１１内の間隙の実質的な幅を狭めながら移動させる。これにより、レトルトパウチ４１の内面に付着していた内容物Ｓをより一層確実に絞り出すことができる。
【００３８】
本実施形態によれば、切断ひねり絞り具１は、簡単な構成でありながら、レトルトパウチ４１の切断及び内容物Ｓの絞り出しを、切断ひねり絞り具１を持ち替えることなく、一連の動作として連続して円滑に、しかも確実に行うことができる。
【００３９】
以上の説明では、絞り間隙２２の幅を、先端側から基端側まで同じ幅としたが、これに代えて、先端側ほど狭くなるように、すなわちカッター３１に近づくほど狭くなるように形成してもよい。この場合には、レトルトパウチ４１の切断部４２を切断する際に、切断部４２をカッター３１に円滑に導くことができる。
【００４０】
また、図１３に示すように、把持部１０を正面側から背面側に貫通する窓部１６を設け、ここに、軸１７を基準として回転可能に砂時計１５を配置するようにしてもよい。これによれば、熱湯によるレトルト食品４０の加熱時間を、他の時計を頼ることなく計測することができて便宜である。また、例えばカップラーメンの蓋を開けて、熱湯を注いで、３〜４分間待つ際に、カップラーメンの蓋を閉じて、この蓋があかないように、切断ひねり絞り具１を蓋の上に載せ、このとき把持部１０が蓋から飛び出して、砂時計１５が蓋にかからないようにする。この状態で、砂時計１５をほぼ９０度回転させて砂が入っている側を上方に位置させることで計時を開始することができる。計時に際し、他の時計等を使用する必要がないので、極めて便宜である。
【００４１】
また、例えば、図１（ａ）に示す、２本の棒状部２１，２１のうちの、上側に位置する棒状部２１の上端縁、あるいは下側に位置する棒状部２１の下端縁に、長手方向に沿って凹凸部（ギザギザ部）を設けるようにしてもよい。この凹凸部によって、例えば、レトルトパウチを開封前に外側から叩くことにより、固まっていた内容物を細かくし、スープ状の離乳食、流動食のようにすることができる。このとき、凹凸がない場合と比較して、滑ることなく有効に内容物を叩くことができる。なお、この凹凸部は、肉を叩いて軟らかくする際にも使用することができる。
【００４２】
なお、本発明に係る切断ひねり絞り具は、少なくとも把持部１０と絞り部２０とカット部３０とを備え、さらに絞り部２０に絞り間隙２２を有し、カット部３０にカッター３１を有していれば足り、他の絞りスリット１１、ラップ刃外し１２、第１フック１３、缶詰オープナー１４、第２フック３４、キャップオープナー３５等については、必要に応じて、適宜設けるようにすればよい。
【図面の簡単な説明】
【００４３】
【図１】（ａ）は、切断ひねり絞り具１の正面図であり、（ｂ）は上側面図であり、（ｃ）は下側面図である。
【図２】絞りスリット１１の使用状態を説明する図である。
【図３】絞りスリット１１の他の使用状態を説明する図である。
【図４】絞りスリット１１のさらに別の使用状態を説明する図である。
【図５】ラップ刃外し１２の使用状態を説明する図である。
【図６】第１フック１３の使用状態を説明する図である。
【図７】第１フック１３の他の使用状態を説明する図である。
【図８】（ａ），（ｂ）は、缶詰オープナー１４の使用状態を説明する図である。
【図９】カッター３１の使用状態を説明する図である。
【図１０】（ａ），（ｂ）は、絞り間隙２２の使用状態を説明する図である。
【図１１】第２フック３４の使用状態を説明する図である。
【図１２】キャップオープナー３５の使用状態を説明する図である。
【図１３】図１３は、把持部１０に砂時計１５を取り付けた状態を説明する図である。
【符号の説明】
【００４４】
１          切断ひねり絞り具
１０        把持部
１１        絞りスリット
１２        ラップ刃外し
１３        第１フック
１４        缶詰オープナー
２０        絞り部
２１        棒状部
２２        絞り間隙
３０        カット部
３１        カッター
３２        スリット（位置決め部）
３３        ボルト（固定具）
３４        第２フック（フック）
３５        キャップオープナー
４０        レトルト食品
４１        レトルトパウチ
４２        切断部
Ｃ          軸心
【図１】
2010220673.tif 000003
【図２】
2010220673.tif 000004
【図３】
2010220673.tif 000005
【図４】
2010220673.tif 000006
【図５】
2010220673.tif 000007
【図６】
2010220673.tif 000008
【図７】
2010220673.tif 000009
【図８】
2010220673.tif 000010
【図９】
2010220673.tif 000011
【図１０】
2010220673.tif 000012
【図１１】
2010220673.tif 000013
【図１２】
2010220673.tif 000014
【図１３】
2010220673.tif 000015
【手続補正書】
【提出日】平成21年11月25日(2009.11.25)
【手続補正１】
【補正対象書類名】特許請求の範囲
【補正対象項目名】全文
【補正方法】変更
【補正の内容】
【特許請求の範囲】
【請求項１】
内容物が詰められたレトルトパウチの切断部を切断するとともに、前記切断部から前記内容物を絞り出す切断ひねり絞り具において、
基端部に設けられて使用者の手で握られる把持部と、
前記把持部から先端側に向かって延びる絞り部と、
前記絞り部の先端側に設けられたカット部とを備え、
前記絞り部は、前記把持部側から前記カット部側に向かって延びる一対の棒状部と、
前記一対の棒状部の間に形成されて、前記レトルトパウチの挿入及び移動を許容する絞り間隙と、を有し、
前記カット部は、前記絞り間隙の先端部近傍に、刃部が前記把持部側に向けられてかつ前記刃部が前記絞り間隙を横断するような姿勢で取り付けられたカッターを有し、
前記絞り間隙に前記レトルトパウチの切断部を挿入して前記切断部と前記カッターとを相対移動させることで前記レトルトパウチの切断部を切断し、
切断後の前記レトルトパウチを、前記切断部から遠い側から前記切断部に向けて前記絞り間隙に挿通させることで前記内容物を前記レトルトパウチから絞り出し、
さらに、前記内容物が絞り出された前記レトルトパウチを折り畳んだ状態で挿通させる絞りスリットを有する、
ことを特徴とする切断ひねり絞り具。
【請求項２】
前記棒状部には、前記レトルトパウチを前記絞り間隙に挿入して、前記絞り間隙によって前記レトルトパウチから前記内容物を絞り出す際に、前記レトルトパウチの一部に当接して折り目となる筋を付ける凸部が設けられている、
ことを特徴とする請求項１に記載の切断ひねり絞り具。
【請求項３】
前記カッターは、前記刃部が前記絞り間隙の幅方向に対して、一端側が前記基端側に位置し他端側が前記先端側に位置するように傾斜して取り付けられている、
ことを特徴とする請求項１又は２に記載の切断ひねり絞り具。
【請求項４】
前記カット部は、前記カッターを位置決めする位置決め部と、前記位置決め部に位置決めされた前記カッターを着脱可能に固定する固定具と、を有する、
ことを特徴とする請求項１ないし３のいずれか１項に記載の切断ひねり絞り具。
【請求項５】
前記絞り間隙は、前記把持部側から前記カッターまで、幅が一定となる、
ことを特徴とする請求項１ないし４のいずれか１項に記載の切断ひねり絞り具。
【請求項６】
前記カット部に、前記レトルトパウチの周端縁に引っかけて前記レトルトパウチを移動させるフックを有する、
ことを特徴とする請求項１ないし５のいずれか１項に記載の切断ひねり絞り具。
【手続補正２】
【補正対象書類名】明細書
【補正対象項目名】００１２
【補正方法】変更
【補正の内容】
【００１２】
請求項１に係る発明は、内容物が詰められたレトルトパウチの切断部を切断するとともに、前記切断部から前記内容物を絞り出す切断ひねり絞り具に関する。この発明に係る切断ひねり絞り具は、基端部に設けられて使用者の手で握られる把持部と、前記把持部から先端側に向かって延びる絞り部と、前記絞り部の先端側に設けられたカット部とを備え、前記絞り部は、前記把持部側から前記カット部側に向かって延びる一対の棒状部と、前記一対の棒状部の間に形成されて、前記レトルトパウチの挿入及び移動を許容する絞り間隙と、を有し、前記カット部は、前記絞り間隙の先端部近傍に、刃部が前記把持部側に向けられてかつ前記刃部が前記絞り間隙を横断するような姿勢で取り付けられたカッターを有し、前記絞り間隙に前記レトルトパウチの切断部を挿入して前記切断部と前記カッターとを相対移動させることで前記レトルトパウチの切断部を切断し、切断後の前記レトルトパウチを、前記切断部から遠い側から前記切断部に向けて前記絞り間隙に挿通させることで前記内容物を前記レトルトパウチから絞り出し、さらに、前記内容物が絞り出された前記レトルトパウチを折り畳んだ状態で挿通させる絞りスリットを有する、ことを特徴とする。
請求項２に係る発明は、請求項１に係る切断ひねり絞り具において、前記棒状部には、前記レトルトパウチを前記絞り間隙に挿入して、前記絞り間隙によって前記レトルトパウチから前記内容物を絞り出す際に、前記レトルトパウチの一部に当接して折り目となる筋を付ける凸部が設けられている、ことを特徴とする。
【手続補正３】
【補正対象書類名】明細書
【補正対象項目名】００１３
【補正方法】変更
【補正の内容】
【００１３】
請求項３に係る発明は、請求項１又は２に係る切断ひねり絞り具において、前記カッターは、前記刃部が前記絞り間隙の幅方向に対して、一端側が前記基端側に位置し他端側が前記先端側に位置するように傾斜して取り付けられている、ことを特徴とする。
【手続補正４】
【補正対象書類名】明細書
【補正対象項目名】００１４
【補正方法】変更
【補正の内容】
【００１４】
請求項４に係る発明は、請求項１ないし３のいずれか１項に係る切断ひねり絞り具において、前記カット部は、前記カッターを位置決めする位置決め部と、前記位置決め部に位置決めされた前記カッターを着脱可能に固定する固定具と、を有する、ことを特徴とする。
請求項５に係る発明は、請求項１ないし４のいずれか１項に係る切断ひねり絞り具において、前記絞り間隙は、前記把持部側から前記カッターまで、幅が一定となる、ことを特徴とする。
【手続補正５】
【補正対象書類名】明細書
【補正対象項目名】００１５
【補正方法】削除
【補正の内容】
【手続補正６】
【補正対象書類名】明細書
【補正対象項目名】００１７
【補正方法】変更
【補正の内容】
【００１７】
請求項１の発明によれば、切断ひねり絞り具の把持部を手で握り、反対の手でレトルトパウチの切断部を絞り間隙に挿入し、切断部とカッターとを相対移動させる、例えば、切断ひねり絞り具を手前に引いて、カッターを手前に移動させることにより、レトルトパウチの切断部を切断することができる。つづいて、レトルトパウチを上下逆さにして、切断部を下方に配置し底部（切断部から遠い側）を上方に配置することで、内容物を皿等にあける。さらに、底部を下方から絞り間隙に挿入した状態で、絞り間隙を下方に移動させることにより、レトルトパウチの内面に付着して残った内容物を絞り出すことができる。この際、絞り間隙を、その長手方向を軸として適宜に回転させることにより、絞り間隙の実質的な幅（上方から見たときの見かけ上の幅）を変更することができるので、内容物の種類や、内容物の付着状況に応じて適宜に調整することができる。請求項１の発明によれば、上述のレトルトパウチの切断部の切断操作と、内容物の絞り動作とを、１つの切断ひねり絞り具で、しかも持ち替えることなく一連の動作として行うことができる。また、可動部を設ける必要がないので、構造が簡素となり、破損しにくくなる。
また、例えば、２つ折り状態のレトルトパウチの底部近傍を絞りスリットに挿入した後、絞りスリットをレトルトパウチの切断部に向けて移動させることで、レトルトパウチの内面に付着している内容物をさらによく絞り出すことができる。
【手続補正７】
【補正対象書類名】明細書
【補正対象項目名】００１８
【補正方法】変更
【補正の内容】
【００１８】
請求項３の発明によれば、切断時の切断部の移動方向に対して、カッターの刃部が傾斜して配置されているので、切断部を容易に切断することができる。
【手続補正８】
【補正対象書類名】明細書
【補正対象項目名】００１９
【補正方法】変更
【補正の内容】
【００１９】
請求項４の発明によれば、カッターの交換が容易である。
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】